(57)【要約】      （修正有）【課題】三つのカバーが合わさるようなカバー合わせ部において、シール部材同士を当接させつつもシール部材同士の反発力を抑えられる構成にした電子機器の防滴構造を提供する。【解決手段】三つのカバーのうち少なくとも二つのカバー７，８にはシール部材７１とシール部材８１が取り付けられており、シール部材７１とシール部材８１の先端の断面形状は片側斜面形状をしている。カバー８には隣接するカバー７のシール部材７１と対向する位置にシール部材７１の先端と当接する当接面８２が形成される。シール部材７１の一部の面は第３のカバーの当接面と同一形状をしており、シール部材８１の終端部はシール部材７１の断面形状の斜面と同一形状をしており、シール部材８１の先端は、シール部材７１の一部の面で倒れて当接し、シール部材８１の終端部は、シール部材７１の斜面に均一に圧縮当接する。【選択図】図４
2015096898.tif 000002
【特許請求の範囲】
【請求項１】
三つのカバー（７）、（８）、（９）のうち少なくとも二つのカバー（７）、（８）にはシール部材１（７１）とシール部材２（８１）が取り付けられており、
前記シール部材１と前記シール部材２の先端の断面形状は片側斜面形状をしており、
前記カバーには隣接するカバーのシール部材と対向する位置に前記シール部材の先端と当接する当接面（７２）、（８２）、（９１）、（９２）が形成してあるカバーの合わせにおいて、
前記シール部材１の一部の面（７１３）はカバー（９）の当接面（９１）と同一形状をしており、
前記シール部材２の終端部（８１ａ）は前記シール部材１の断面形状の斜面に同一形状をしており、
前記シール部材２の先端は、前記シール部材１の一部の面で倒れて当接し、
前記シール部材２の終端部は、前記シール部材１の斜面に均一に圧縮当接する構成を有することを特徴とする電子機器。
【請求項２】
前記シール部材１の一部の面（７１３）の反対側がカバー（９）の当接面（９２）に当接していることを特徴とする請求項１に記載の電子機器。
【請求項３】
前記シール部材１の斜面（７１２ａ）は前記シール部材２の終端部（８１ａ）の斜面に均一に圧縮当接しており、前記シール部材１の先端はカバー（８）の当接面（８２）に当接していることを特徴とする請求項１に記載の電子機器。
【発明の詳細な説明】
【技術分野】
【０００１】
本発明は、デジタルカメラなどの電子機器の外装カバーの防滴構造に関し、特に比較的複雑に分割されたカバーの合わせ部の防滴構造に関するものである。
【背景技術】
【０００２】
デジタルカメラに代表されるような携帯機器は屋外で使用されることが多く、防滴構造のニーズが高まっている。
【０００３】
従来、電子機器の外装カバーの合わせ部の防滴構造は、カバーとカバーの間にゴムスポンジ等のシール部材を挟み込む方法などが取られているが、シール部材の組みズレ等の組立問題があった。
【０００４】
そこで、カバーにシール部材としてエラストマーを取り付け、カバーとシール部材を一体化することで、組立精度良くシーリングするようにしたものがある。
【０００５】
また、一眼レフカメラのような立体的形状の外装カバーは、比較的複雑に分割されるため、三つのカバーが合わさるようなカバー合わせ部になることがある。
【０００６】
従来、三つのカバーの合わせ部のような複雑なカバー合わせ部の防滴構造には、シール部材同士を重ねて潰すなどの必要があった。
【０００７】
特許文献１では、第１のシール部材及び第２のシール部材は、射出成形された後のセンタ枠体の環状溝に、熱可塑性材料を加熱融解して射出成形により形成して一体に設けたものが開示されている。
【０００８】
特許文献２では、上カバーと、前カバーと、後カバーと、下カバーとは、カメラ本体の開口の近傍部分に気密に結合され、フィルムカートリッジ室蓋は、カメラ本体の開口に気密かつ開閉自在に結合されるものが開示されている。
【先行技術文献】
【特許文献】
【０００９】
【特許文献１】特開２００６−１３４５１４号公報
【特許文献２】特開平９−２０３９４９号公報
【発明の概要】
【発明が解決しようとする課題】
【００１０】
しかしながら、上述の特許文献１に開示された従来技術では、カバーの分割は比較的容易なものであり、三つのカバーの合わせ部のような比較的複雑に分割されたカバーの合わせ部の防滴構造の記載はない。
【００１１】
また、上述の特許文献２に開示された従来技術では、三つのカバー合わせのＴ字状の部分は、スポンジ状のパッキン（シール部材）同士を重ねる構成であり、組みズレを防ぐための凹形状の溝等が必要である。
【００１２】
そこで、本発明の目的は、シール部材の組みズレ等の問題がないようカバーにシール部材としてエラストマー等を取り付け、カバーとシール部材を一体化することで、シール部材の位置精度を上げる。そして、三つのカバーが合わさるような比較的複雑なカバー合わせ部のところは、シール部材同士を当接させつつもシール部材同士の反発力を抑えられる構成にした電子機器の防滴構造を提供することである。
【課題を解決するための手段】
【００１３】
上記目的を達成するために、本発明は、三つのカバーのうち少なくとも二つのカバーにはシール部材１とシール部材２が取り付けられており、前記シール部材１と前記シール部材２の先端の断面形状は片側斜面形状をしており、前記カバーには隣接するカバーのシール部材と対向する位置に前記シール部材の先端と当接する当接面が形成してあるカバーの合わせにおいて、前記シール部材１の一部の面はカバーの当接面と同一の形状をしており、前記シール部材２の終端部は前記シール部材１の断面形状の斜面に同一形状をしており、前記シール部材２の先端は、前記シール部材１の一部の面で倒れて当接し、前記シール部材２の終端部は、前記シール部材１の斜面に均一に圧縮当接する構成を有することを特徴とする。
【発明の効果】
【００１４】
本発明によれば、比較的複雑に分割された、例えば三つのカバーが合わさるようなカバー合わせ部をもつ電子機器の防滴構造を提供することができる。
【図面の簡単な説明】
【００１５】
【図１】（ａ）本実施例のデジタルカメラを前方（被写体側）から見た斜視図  （ｂ）本実施例のデジタルカメラを後方（撮影者側）から見た斜視図
【図２】（ａ）本実施例のデジタルカメラを下方（グリップ側）から見た斜視図  （ｂ）本実施例のデジタルカメラを下方から見た図
【図３】本実施例のデジタルカメラを後方（撮影者側）から見たときの下カバー、サイドカバー、後カバーの分解斜視図
【図４】（ａ）図３の下カバー、サイドカバーのみの分解斜視図  （ｂ）図３の下カバー、サイドカバーを合わせた時の斜視図  （ｃ）図４（ｂ）におけるＡ−Ａ断面図
【図５】（ａ）図３のサイドカバー、後カバーのみの分解斜視図  （ｂ）図３のサイドカバー、後カバーを合わせた時の斜視図  （ｃ）図５（ｂ）におけるＢ−Ｂ断面図
【図６】（ａ）図３の下カバー、後カバーのみの分解斜視図  （ｂ）図３の下カバー、後カバーを合わせた時の斜視図  （ｃ）図６（ｂ）におけるＣ−Ｃ断面図
【図７】（ａ）下カバーの要部拡大斜視図  （ｂ）下カバー、後カバーを合わせた時の要部拡大斜視図  （ｃ）図７（ｂ）におけるＤ−Ｄ断面図  （ｄ）サイドカバーの要部拡大図  （ｅ）下カバー、サイドカバー、後カバーを合わせた時のＤ−Ｄ断面図
【発明を実施するための形態】
【００１６】
以下に、本発明の好ましい実施の形態を、添付の図面に基づいて詳細に説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【実施例】
【００１７】
まず、図１から図３を用いて、本発明の一実施形態であるデジタルカメラを説明する。
【００１８】
図１（ａ）は本実施例のデジタルカメラを前方（被写体側）から見た斜視図である。図１（ｂ）は本実施例のデジタルカメラを後方（撮影者側）から見た斜視図である。
【００１９】
図１（ａ）、（ｂ）において、１はデジタルカメラであり、２はデジタルカメラ１に不図示のレンズ鏡筒を交換可能に取り付ける際のレンズマウント部である。３はレンズ鏡筒を通して結像された被写体像を観察し、撮影時の構図を決めるためのビューファインダーである。４は撮影画像などを確認可能な表示装置である。表示装置４は、例えば３．０インチ程度のＴＦＴ液晶パネルなどから構成されている。ここで、表示装置４は、撮影時にビューファインダーとしても利用可能となっている。５はグリップ部であり、撮影時などにデジタルカメラ１をユーザーが保持する際に把持する場所である。
【００２０】
６はレリーズ釦であり、撮影時に釦を押下げることで撮影を行うものである。デジタルカメラ１はレリーズ釦６の押下を検出して、図示していないが撮像素子の駆動、画像処理回路の動作、記録処理回路の圧縮処理などを制御し、撮影画像の記録を行う。図１から分かるように、デジタルカメラ、特に一眼レフカメラでは、携帯性よりもホールド性を重視しており、グリップ部５が大きく張り出し、ホールド性の優れた立体形状とすることが重要である。
【００２１】
図２（ａ）は本実施例のデジタルカメラを下方（グリップ側）から見た斜視図である。図２（ｂ）は本実施例のデジタルカメラを下方から見た図である。上記したように一眼レフカメラでは、ホールド性の優れた立体形状とするために、外装カバーを比較的複雑に分割しなければならないことがある。
【００２２】
図２（ａ）、（ｂ）において、７はデジタルカメラ１の下カバー、８はサイドカバー、９は後カバーである。ここで、図２（ｂ）の一点鎖線の丸で囲われた部分１１のように、三つのカバーがＴ字状に合わさるようなカバー合わせ部になっている。
【００２３】
図３は本実施例のデジタルカメラを後方（撮影者側）から見たときの下カバー７、サイドカバー８、後カバー９の分解斜視図である。
【００２４】
図３において、１０は上記グリップ部５の外側を構成するグリップラバーであり、ユーザーが撮影時などにデジタルカメラ１を把持する際の滑り止めである。グリップラバー１０はカメラの組立において、最後に両面テープ等で貼り付けられる。
【００２５】
次に、図４から図７を用いて、本発明のカバー合わせ部の防滴構造について詳しく説明する。
【００２６】
図４（ａ）は図３の下カバー７、サイドカバー８のみの分解斜視図である。図４（ｂ）は図３の下カバー７、サイドカバー８を合わせた時の斜視図である。図４（ｃ）は図４（ｂ）におけるＡ−Ａ断面図である。
【００２７】
図４（ａ）〜（ｃ）において、下カバー７のサイドカバー８、後カバー９との合わせ部には、シール部材７１が取り付けられている。また、サイドカバー８の後カバー９との合わせ部には、シール部材８１が取り付けられており、下カバー７との合わせ部には、シール部材７１に対向する位置にシール部材７１の先端が当接する当接面８２を設けている。
【００２８】
シール部材７１の先端は、断面が片側斜面形状となっており、当接面８２は、シール部材７１の先端を倒して当接させるように斜面になっている。ここで、下カバー７とサイドカバー８が合わせられるとき、シール部材７１は合わせ方向（Ｙ方向）に圧縮されず倒れて当接面８２に当接させることでシール部材７１の反発力を抑えることができる。このシール部材７１を当接面８２に当接させることで、下カバー７、サイドカバー８との間の密着性を確保し、防滴構造を実現するものである。シール部材７１は、例えば、２色成形によって下カバー７と一体的に形成してもよく、また、紐状のシール部材を接着剤等で下カバー７に一体的に固定する構成としてもよい。
【００２９】
図５（ａ）は図３のサイドカバー８、後カバー９のみの分解斜視図である。図５（ｂ）は図３のサイドカバー８、後カバー９を合わせた時の斜視図である。図５（ｃ）は図５（ｂ）におけるＢ−Ｂ断面図である。
【００３０】
図５（ａ）〜（ｃ）において、サイドカバー８の後カバー９との合わせ部には、上述したようにシール部材８１が取り付けられている。また、後カバー９のサイドカバー８との合わせ部には、シール部材８１に対向する位置にシール部材８１の先端が当接する当接面９１を設けている。ここで、シール部材８１は、サイドカバー８の曲面に沿うように９０度曲がって取り付けられており、後カバー９のサイドカバー８との合わせ方向もＺ方向からＹ方向に変化している。
【００３１】
シール部材８１の先端は、断面が片側斜面形状となっており、当接面９１は、シール部材８１の先端を倒して当接させるように斜面になっている。ここで、サイドカバー８と後カバー９が合わせられるとき、シール部材８１は合わせ方向（Ｙ方向）に圧縮されず倒れて当接面９１に当接させることでシール部材８１の反発力を抑えることができる。このシール部材８１を当接面９１に当接させることで、サイドカバー８と後カバーとの間の密着性を確保し、防滴構造を実現するものである。シール部材８１は、例えば、２色成形によってサイドカバー８と一体的に形成してもよく、また、紐状のシール部材を接着剤等でサイドカバー８に一体的に固定する構成としてもよい。
【００３２】
図６（ａ）は図３の下カバー７、後カバー９のみの分解斜視図である。図６（ｂ）は図３の下カバー７、後カバー９を合わせた時の斜視図である。図６（ｃ）は図６（ｂ）におけるＣ−Ｃ断面図である。
【００３３】
図６（ａ）〜（ｃ）において、下カバー７のサイドカバー８、後カバー９との合わせ部には、シール部材７１が取り付けられている。また、後カバー９の下カバー７との合わせ部には、シール部材７１に対向する位置にシール部材７１の先端が当接する当接面９２を設けている。
【００３４】
シール部材７１の先端は、断面が片側斜面形状となっており、当接面９２は、シール部材７１を倒して当接させるように斜面になっている。ここで、下カバー７と後カバー９が合わせられるとき、シール部材７１は合わせ方向（Ｚ方向）に圧縮されず倒れて当接面９２に当接させることでシール部材７１の反発力を抑えることができる。このシール部材７１を当接面９２に当接させることで、下カバー７、後カバー９との間の密着性を確保し、防滴構造を実現するものである。
【００３５】
ここで、上記した図２（ｂ）の一点鎖線の丸で囲われた部分１１のように、三つのカバーがＴ字状に合わさるようなカバー合わせ部になっており、以下に下カバー７、サイドカバー８、後カバー９のＴ字状の合わせ部の防滴構造について述べる。
【００３６】
図７（ａ）は下カバー７の要部拡大斜視図である。図７（ｂ）は下カバー７、後カバー９を合わせた時の要部拡大斜視図である。図７（ｃ）は図７（ｂ）におけるＤ−Ｄ断面図である。図７（ｄ）はサイドカバー８の要部拡大図である。図７（ｅ）は下カバー７、サイドカバー８、後カバー９を合わせた時のＤ−Ｄ断面図である。
【００３７】
図７（ａ）、（ｂ）において、上述したように下カバー７には、サイドカバー８、後カバー９との合わせ部にシール部材７１が取り付けられている。シール部材７１には、サイドカバー８の合わせ部用７１１、後カバー９との合わせ部用７１２とがあり、そのつなぎ部７１３は、後カバー９の当接面９１と同一形状にしている。７１２ａはシール部材７１２の斜面を指している。
【００３８】
図７（ｃ）において、下カバー７、後カバー９を合わせた時、シール部材７１３の面形状の反対側を当接面９２に当接させて、防滴するとともに、薄くなったシール部材７１３を支えている。したがって、シール部材７１３は後カバー９に支えられているため、後述するシール部材８１をシール部材７１３の当接面に当接させるとき、シール部材８１の方が倒れて当接することで防滴できる。
【００３９】
図７（ｄ）において、サイドカバー８のシール部材８１の終端部８１ａは、シール部材７１２の断面形状の斜面に同一形状にしており、後述するように終端部８１ａは、シール部材７１２の斜面に均一に圧縮当接することで防滴できる。
【００４０】
図７（ｅ）において、上述したようにシール部材７１のつなぎ部７１３は後カバー９の当接面９１形状と同一形状をしている。したがって、シール部材８１がシール部材７１３の面で倒され当接することで合わせ方向（Ｙ方向）に圧縮されず反発力を抑えられる。
【００４１】
また、上述したようにシール部材８１の終端部８１ａは、シール部材７１２の断面形状の斜面に同一形状にしている。ここで、上述したようにシール部材７１２の先端は当接面８２に倒され当接しており、シール部材７１２の斜面７１２ａは、シール部材８１の終端部８１ａに圧縮当接することで隙間なく防滴できる。このとき、圧縮量はカバー合わせで段差ができない程度の反発力になるようにしている。
【００４２】
以上のようにして、カバーにシール部材を取り付け、カバーと一体化することで、シール部材の位置精度を上げるとともに、複雑なカバー合わせ部のところは、シール部材同士を当接させつつもシール部材同士の反発力を抑えられるように構成した。よって、下カバー７、サイドカバー８、後カバー９との間の密着性を確保し、Ｔ字状の合わせ部の防滴構造を実現できるものである。
【００４３】
なお、シール部材の材質としては、例えば、エラストマーが好適であるが、その他にもシリコンゴムやニトリルゴム等のように各種の材料を用いることもできる。
【００４４】
以上、本発明の好ましい実施形態について説明したが、本発明はこれらの実施形態に限定されず、その要旨の範囲内で種々の変形及び変更が可能である。
【符号の説明】
【００４５】
１  デジタルカメラ
２  レンズマウント部
３  ビューファインダー
４  表示装置
５  グリップ部
６  レリーズ釦
７  下カバー
８  サイドカバー
９  後カバー
１０  グリップラバー
【図１】
2015096898.tif 000003
【図２】
2015096898.tif 000004
【図３】
2015096898.tif 000005
【図４】
2015096898.tif 000006
【図５】
2015096898.tif 000007
【図６】
2015096898.tif 000008
【図７】
2015096898.tif 000009